(57)【要約】【課題】洗濯ネットとして兼用でき、洗濯時に布団が洗濯槽内で偏って配置されることを防止できる布団カバーを提供する。【解決手段】布団を収納する袋体の表面にメッシュ部が設けられた布団カバーにおいて、袋体の表面に接合具をメッシュ部の一部又は全部を間にして位置付けて対向するように設ければ、布団を収納した袋体を対向する接合具が雄・雌となって接合できるように折り畳むことによって該対向する接合具の間に位置付けられたメッシュ部の一部又は全部が露出した状態となって洗濯ネットとしても使用することができる。【選択図】  図１
2010200998.tif 000002
【特許請求の範囲】
【請求項１】
布団を収納する袋体の表面にメッシュ部が設けられた布団カバーにおいて、袋体の表面に接合具がメッシュ部の一部又は全部を間にして位置付けて対向するように設けられており、対向する接合具が雄・雌となって接合できるように布団を収納した袋体を折り畳むことによって該対向する接合具の間に位置付けられたメッシュ部の一部又は全部が露出した状態となることを特徴とする布団カバー。
【請求項２】
対向する接合具が雄・雌となって接合できるように布団を収納した袋体を折り畳むことによってメッシュ部のみが露出した状態となる請求項１記載の布団カバー。
【請求項３】
接合具がメッシュ部の周囲に固定されている請求項１又は２のいずれかに記載の布団カバー。
【発明の詳細な説明】
【技術分野】
【０００１】
本発明は、布団カバーに関するものである。
【背景技術】
【０００２】
周知のとおり、衣類などに比べて容量が大きく家庭用洗濯機では容易に洗濯することができなかった布団は、それ自体が汚れてしまわないように布団カバーを被せた状態で使用され、定期的に布団カバーのみが洗濯されていたが、近年における家庭用洗濯機の発達に伴って、薄手の布団であれば家庭でも容易に洗濯できるようになった。
【０００３】
薄手の布団を家庭用洗濯機で洗濯する際には、洗濯時に水を吸収して重量が増した布団が洗濯槽内で片寄ると、洗濯槽が激しく振動して洗濯機の故障の原因となることから、これを防止するために専用の洗濯ネットを別途用意し、この洗濯ネットに布団を折り畳んで収納して洗濯する必要がある。
【０００４】
洗濯ネットとしては、例えば、後出特許文献１に開示されるような衣類、布団または毛布などの収納物を角形に保形し得る箱上のネットから構成され、複数の側面に跨って開口部が形成され、該開口部にファスナーが備えられている洗濯可能な収納袋がある。
【先行技術文献】
【特許文献】
【０００５】
【特許文献１】実用新案登録第３０３３６１９号公報
【発明の概要】
【発明が解決しようとする課題】
【０００６】
しかし、前記特許文献１に開示されるような洗濯ネットを用いて洗濯する場合には、容量の大きな布団を洗濯ネットに出し入れすることに手間を要し、特に、洗濯後の水を吸収して重量が増した布団は重く、非力なお年寄りや女性にとって非常に重労働であった。
【０００７】
さらに、前記特許文献１に開示されるような洗濯ネットを用いる場合には、洗濯ネットのサイズに合わせて布団を綺麗に折り畳んだ状態で収納しなければ、洗濯時に洗濯ネット内で布団がずれ動き、これにより、布団が洗濯槽内で片寄ると洗濯機が故障してしまうという問題があった。
【０００８】
そこで、本発明は、洗濯ネットとして兼用でき、洗濯時に布団が洗濯槽内で偏って配置されることを防止できる布団カバーを提供することを技術的課題として、その具現化をはかるべく、試作・実験を繰り返した結果、布団を収納する袋体の表面にメッシュ部が設けられた布団カバーにおいて、袋体の表面に接合具をメッシュ部の一部又は全部を間にして位置付けて対向するように設ければ、布団を収納した袋体を対向する接合具が雄・雌となって接合できるように折り畳むことによって該対向する接合具の間に位置付けられたメッシュ部の一部又は全部が露出した状態となって洗濯ネットとしても使用することができるという刮目すべき知見を得、前記技術的課題を達成したものである。
【課題を解決するための手段】
【０００９】
前記技術的課題は、次の通りの本発明によって解決できる。
【００１０】
また、本発明に係る布団カバーは、布団を収納する袋体の表面にメッシュ部が設けられた布団カバーにおいて、袋体の表面に接合具がメッシュ部の一部又は全部を間にして位置付けて対向するように設けられており、布団を収納した袋体を対向する接合具が雄・雌となって接合できるように折り畳むことによって該対向する接合具の間に位置付けられたメッシュ部の一部又は全部が露出した状態となるものである。
【００１１】
また、本発明は、前記布団カバーにおいて、布団を収納した袋体を対向する接合具が雄・雌となって接合できるように折り畳むことによってメッシュ部のみが露出した状態となるものである。
【００１２】
また、本発明は、前記いずれかの布団カバーにおいて、接合具がメッシュ部の周囲に固定されているものである。
【発明の効果】
【００１３】
本発明によれば、袋体の表面に接合具がメッシュ部の一部又は全部を間にして位置付けて対向するように配置され、布団を収納した袋体を対向する接合具が雄・雌となって接合できるように折り畳むことによって該対向する接合具の間に位置付けられたメッシュ部の一部又は全部が露出した状態に変形できるように構成したので、布団を収納した袋体を折り畳んで変形した状態が洗濯ネット状となり、別途洗濯ネットを用意する必要がなく、洗濯ネットに布団を出し入れする手間も省くことができる。また、布団を収納した袋体を折り畳んで洗濯ネット状に変形するため、洗濯時における洗濯ネットに対する布団のずれが生じず、洗濯槽内で片寄ってしまうことを防止できる。さらに、本発明によれば、布団の収納時には、布団を収納した袋体を折り畳んで洗濯ネット状に変形することによって、空気を含んだ布団を圧縮してコンパクトにできるため、専用の収納袋を用意することなく押入れなどに対して場所をとらずに収納することができる。
【００１４】
従って、本発明の産業上利用性は非常に高いといえる。
【図面の簡単な説明】
【００１５】
【図１】実施の形態１に係る布団カバーを示した斜視図である。
【図２】図１に示す布団カバーの表面を示した平面図である。
【図３】図１に示す布団カバーの接合具を構成する接合テープを示した拡大図である。
【図４】図１に示す布団カバーを折り畳む様子を順次示した斜視図である。
【図５】実施の形態２の変形例１を示した平面図である。
【図６】実施の形態２の変形例２を示した平面図である。
【図７】実施の形態２の変形例３を示した平面図である。
【図８】実施の形態３の変形例４を示した平面図である。
【図９】実施の形態４の変形例５を示した平面図である。
【図１０】実施の形態４の変形例６を示した平面図である。
【図１１】実施の形態４の変形例７を示した平面図である。
【発明を実施するための形態】
【００１６】
以下、本発明の実施の形態を図面に基づき説明する。
【００１７】
実施の形態１．
【００１８】
図１〜図４において、１は、布団を収納する袋体２の表面にメッシュ部３が設けられた布団カバーであり、メッシュ部３を取り囲むように接合具４が配置されている。
【００１９】
袋体２は、矩形状であって側辺に布団を出し入れするための開口５が形成されており、開口５はファスナー６によって開閉できるようになっている。袋体２を形成する生地としては、袋体２の裏面は使用者に接触するため、肌触りがよいものが好ましく、例えば、綿などの生地を使用することが好ましいが、これに限定されることはない。
【００２０】
メッシュ部３は、長方形状であって袋体２の表面中央に配置されている。メッシュ部３は、家庭用洗濯機による洗濯や脱水などの一連の作業を行った際に、洗濯槽との接触によって破れない丈夫なものであればよく、その素材としては、ポリエステルやナイロンなどを使用すればよい。
【００２１】
接合具４は、図３に示すように、複数の務歯７をテープ８上に並べてなる一本の接合テープ９から構成されている。接合テープ９は、メッシュ部３の周囲を周回するように固定されており、その両端がメッシュ部３の一方の長辺中央にて務歯７を噛み合わせて接合されている。また、接合テープ９には、両端に位置する務歯７から順に対向する務歯７を接合するスライダー１０が取り付けられている。よって、接合具４は、メッシュ部３を長手方向に二等分する二等分線に対して一方側に位置する接合テープ（以下、「一方側接合テープ」という）１１と他方側に位置する接合テープ（以下、「他方側接合テープ」という）１２とによってメッシュ部３を間にして位置付けた状態になっており、両側接合テープ１１，１２は二等分線に対して線対称に配置されている。
【００２２】
次に、本実施の形態に係る布団カバー１を折り畳んで洗濯ネットとして使用できる状態に変形する様子を説明する。
【００２３】
先ず、図４の（ａ）に示す布団を収納した袋体２を接合具４に沿って折り畳む。具体的には、図４の（ｂ）に示すように、布団を収納した袋体２を一方側接合テープ１１におけるメッシュ部３の一方の短辺に沿った部分を通る線及び他方側接合テープ１２における他方の短辺に沿った部分を通る線を折れ線として山折りするように折り曲げる。次に、図４の（ｃ）に示すように、両側接合テープ１１，１２におけるメッシュ部３の一方の長辺に沿った部分を通る線及び他方の長辺に沿った部分を通る線を折れ線として山折りするように折り曲げる。この状態において、布団を収納した袋体２は、接合具４よりも外側に位置する部分が内側に折り畳まれて接合具４が表出した状態となる。最後に、図４の（ｄ）に示すように、両側接合テープ１１，１２が互いに接合できるようにメッシュ部３の二等分線を折れ線として二つ折りするように折り曲げることにより、一方側接合テープ１１と他方側接合テープ１２を互いに向い合わせる。そして、スライダー１０をスライドさせることよって雄となる一方側接合テープ１１と雌となる他方側接合テープ１２を接合させる。これにより、布団カバー１は、メッシュ部３のみが表面に露出してなる袋の内側に布団を折り畳んで収納した洗濯ネット状に変形する。
【００２４】
実施の形態２．
【００２５】
本実施の形態は前記実施の形態１における接合具の変形例である。
【００２６】
本実施の形態に係る変形例１の接合具４は、図５に示すように、一対のボタン１３とボタン受け１４とから構成されている。そして、ボタン１３は、メッシュ部３の一方の短辺中央近傍に位置付けて袋体２に固定されており、ボタン受け１４は、メッシュ部３の他方の短辺中央近傍に位置付けて袋体２に形成されている。従って、接合具４は、ボタン１３とボタン受け１４とがメッシュ部３を間にして挟むように対向している。
【００２７】
本変形例に係る袋体２を洗濯ネット状に変形する際には、布団が収納された袋体２をメッシュ部３の一方の短辺と平行に走ってボタン９を通る線及び他方の短辺と平行に走ってボタン受け１０を通る線を折れ線として山折りするように折り曲げた後、メッシュ部３の一方の長辺を通る線及び他方の長辺を通る線を折れ線として山折りするように折り曲げ、最後に、メッシュ部３を二つ折りして雄となるボタン１３を雌となるボタン受け１４に接合すればよい。
【００２８】
本実施の形態に係る変形例２の接合具４は、図６に示すように、二対のボタン１３，１３とボタン受け１４，１４とから構成されている。そして、ボタン１３，１３は、メッシュ部３の一方の短辺両端近傍に位置付けて袋体２にそれぞれ固定されており、ボタン受け１４，１４は、メッシュ部３の他方の短辺両端近傍に位置付けて袋体２にそれぞれ固定されている。従って、接合具４は、ボタン１３，１３とボタン受け１４，１４とがメッシュ部３を間に挟むように対向している。なお、メッシュ部３の一方の長辺側に位置するボタン１３とボタン受け１４が対になっており、メッシュ部３の他方の長辺側に位置するボタン１３とボタン受け１４が対になっている。
【００２９】
本変形例に係る袋体２を洗濯ネット状に変形する際には、布団が収納された袋体２をメッシュ部３の一方の短辺と平行に走って両ボタン１３，１３を通る線及び他方の短辺と平行に走って両ボタン受け１４，１４を通る線を折れ線として山折りするように折り曲げた後、メッシュ部３の一方の長辺と平行に走って対となるボタン１３とボタン受け１４を通る線及び他方の長辺と平行に走って対となるボタン１３とボタン受け１４を通る線を折れ線として山折りするように折り曲げ、最後に、メッシュ部３を二つ折りして雄となるボタン１３，１３を雌となるボタン受け１４，１４に接合すればよい。
【００３０】
本実施の形態に係る変形例３の接合具４は、図７に示すように、複数の務歯７をテープ８上に並べてなる一対の直線状接合テープ１５，１６によって構成されており、一方の接合テープ１５にはスライダー１０が取り付けらている。そして、一方の接合テープ１５は、メッシュ部３の一方の短辺に沿って固定されており、他方の接合テープ１６は、メッシュ部３の他方の短辺に沿って固定されている。従って、接合具４は、両接合テープ１５，１６がメッシュ部３を間に位置付けて対向している。
【００３１】
本変形例に係る袋体２を洗濯ネット状に変形する際には、布団が収納された袋体２をメッシュ部３の両短辺に沿って位置付けられた接合テープ１５，１６を通る線を折れ線として山折りするように折り曲げた後、メッシュ部３の一方の長辺と平行に走って両接合テープ１５，１６の一端を結ぶ線及び他方の長辺と平行に走って両接合テープ１５，１６の他端を結ぶ線を折れ線として山折りするように折り曲げ、最後に、メッシュ部３を二つ折りしてスライダー１０をスライドさせることによって雄となる接合テープ１５を雌となる接合テープ１６に接合すればよい。
【００３２】
本実施の形態に係る各変形例においても、前記実施の形態１と同様の作用・効果を得ることができる。
【００３３】
実施の形態３．
【００３４】
本実施の形態は前記実施の形態１におけるメッシュ部の変形例である。
【００３５】
本実施の形態に係る変形例４のメッシュ部は、図８に示すように、楕円状であって袋体の表面中央に配置されており、長軸が袋体の長手方向へ伸びている。接合具を構成する接合テープは、メッシュ部の短軸の一端を起点としてメッシュ部周囲を周回しており、起点に位置付けられる両端の務歯７を噛み合わせてその間にスライダー１０が取り付けられている。従って、接合具４は、メッシュ部３の短軸に対して一方側に位置する接合テープ１１（以下、「一方側接合テープ」という）と他方側に位置する接合テープ１２（以下、「他方側接合テープ」という）とが線対称に位置付けられており、両側接合テープ１１，１２がメッシュ部３を間に位置付けて対向している。
【００３６】
本変形例に係る袋体を洗濯ネット状に変形する際には、布団が収納された袋体２をメッシュ部１３を周回する接合具に沿って山折りするように折り曲げ、袋体のメッシュ部に対して外側に位置する部分を全て内側に折り曲げた後、両接合テープの間に位置するメッシュ部を二つ折りしてスライダーをスライドさせることによって両接合テープを接合すればよい。
【００３７】
本実施の形態に係る変形例においても、前記実施の形態１と同様の作用・効果を得ることができる。
【００３８】
実施の形態４．
【００３９】
本実施の形態は前記実施の形態２に係る変形例３における接合具とメッシュ部との位置関係の変形例である。
【００４０】
本実施の形態に係る変形例５のメッシュ部１７は、図９に示すように、前記実施の形態３に係る変形例３のメッシュ部３よりも袋体２に対する比率が大きな矩形状であり、袋体２の表面中央に配置されている。そして、接合具４を構成する一対の接合テープ１５，１６は、それぞれメッシュ部１７に固定されており、一方の接合テープ１５は、メッシュ部１７の一方の短辺から僅かに離して短辺と平行に位置付けられており、他方の接合テープ１６は、メッシュ部１７の他方の短辺から僅かに離して短辺と平行に位置付けられている。従って、接合具４は、両接合テープ１５，１６がメッシュ部１７の一部を間にして位置付けて対向している。
【００４１】
本変形例に係る袋体２を洗濯ネットに変形する際には、布団が収納された袋体２をメッシュ部１７の両接合テープ１５，１６を通る線を折れ線として山折りするように折り曲げた後、メッシュ部１７の両接合テープ１５，１６の一端を結ぶ線及び両接合テープ１５，１６の他端を結ぶ線を折れ線として山折りするように折り曲げ、最後に、両接合テープ１５，１６の間に位置するメッシュ部１７を二つ折りしてスライダー１０をスライドさせることによって両接合テープ１５，１６を接合すればよい。
【００４２】
本実施の形態に係る変形例６のメッシュ部１８は、図１０に示すように、円形状であって袋体２の表面中央に配置されている。そして、接合具４を構成する一対の接合テープ１５，１６は、メッシュ部１８から離した状態で該メッシュ部１８を間にして位置付けて対向するように袋体２に固定されている。
【００４３】
本変形例に係る袋体２を洗濯ネットに変形する際には、布団が収納された袋体２を両接合テープ１５，１６を通る線を折れ線として山折りするように折り曲げた後、両接合テープ１５，１６の一端を結ぶ線及び両接合テープ１５，１６の他端を結ぶ線を折れ線として山折りするように折り曲げ、最後に、両接合テープ１５，１６の間に挟まれた部分を二つ折りして両接合テープ１５，１６をスライダー１０をスライドさせることによって接合すればよい。
【００４４】
本変形例によれば、袋体２を洗濯ネット状に変形した状態において、表面に露出した袋体２の部分の一部がメッシュ部１８によって形成される。
【００４５】
本実施の形態に係る変形例７のメッシュ部１９は、図９に示すように、矩形状であって袋体の長手方向に対して一方側に偏って配置されている。そして、接合具４を構成する一対の接合テープ１５，１６は、一方の接合テープ１５が袋体２に固定され、他方の接合テープ１６がメッシュ部１９に固定されている。具体的には、メッシュ部１９の一方の短辺を挟むように両接合テープ１５，１６が固定されている。従って、接合具４は、両接合テープ１５，１６がメッシュ部１９の一部を間にして位置付けて対向している。
【００４６】
本変形例に係る袋体２を洗濯ネットに変形する際には、布団が収納された袋体２を両接合テープ１５，１６を通る線を折れ線として山折りするように折り曲げた後、両接合テープ１５，１６の一端を結ぶ線及び両接合テープ１５，１６の他端を結ぶ線を折れ線として山折りするように折り曲げ、最後に、両接合テープ１５，１６の間に挟まれた部分を二つ折りして両接合テープ１５，１６をスライダー１０をスライドさせることによって接合すればよい。
【００４７】
本変形例によれば、袋体２を洗濯ネットに変形した状態において表面に露出した、袋体２の一部がメッシュ部１９の一部によって形成される。
【００４８】
本実施の形態に係る各変形例においても、前記実施の形態１と同様の作用・効果を得ることができる。
【００４９】
なお、本発明における接合具は、前記各実施の形態において採用したものに限らず、例えば、ホックとホック受けとの組み合わせ、雄ボタンと雌ボタンの組み合わせ、雄面ファスナーと雌面ファスナーとの組み合わせなどを採用してもよい。
【符号の説明】
【００５０】
１  布団カバー
２  袋体
３，１７，１８，１９  メッシュ部
４  接合具
５  開口
６  ファスナー
７  務歯
８  テープ
９  接合テープ
１０  スライダー
１１  一方側接合テープ
１２  他方側接合テープ
１３  ボタン
１４  ボタン受け
１５，１６  接合テープ
【図１】
2010200998.tif 000003
【図２】
2010200998.tif 000004
【図３】
2010200998.tif 000005
【図４】
2010200998.tif 000006
【図５】
2010200998.tif 000007
【図６】
2010200998.tif 000008
【図７】
2010200998.tif 000009
【図８】
2010200998.tif 000010
【図９】
2010200998.tif 000011
【図１０】
2010200998.tif 000012
【図１１】
2010200998.tif 000013